(57)【要約】【課題】  内容物混合の際の取扱いが容易で、かつ、少ない工程で容器を製造することができ、しかも、内容物の注入も容易な複室容器を提供する。【解決手段】  ブロー成形製の容器本体１１は、一端にヒートシール用の口１２を、他端にネジキャップ用の口１３を有すると共に、途中にくびれ部１４を備えている。くびれ部１４は、容器本体１１の表面に設けた窪み１４ａと、容器本体１１の側面に設けた窪み１４ｂ，１４ｂとによって形成される。容器本体１１の裏面はフラットな形状で、くびれ部１４を挟んだ対称位置に、外壁の一部を突出させた円柱状の凸部１５と、外壁の一部を陥没させた円筒状の凹部１６とを備えている。窪み１４ａ，１４ｂは、凸部１５と凹部１６を嵌合させた状態において、くびれ部１４の内壁同士が密着した状態となる様な寸法・形状とされている。【選択図】  図１
2006232294.tif 000002
【特許請求の範囲】
【請求項１】
（１−０）  ブロー成形によって形成された合成樹脂製の容器本体内に複数の区画室を備え、複数の区画室に収納された内容物同士を必要に応じて前記容器本体内で混合することのできる複室容器であって、以下の構成を有することを特徴とする複室容器。
（１−１）  前記容器本体は、両端に口を有すると共に、途中にくびれ部を備え、該くびれ部で折り曲げることができること。
（１−２）  前記くびれ部で折り曲げた状態を維持するための嵌合部を容器本体の外面に備えていること。
（１−３）  前記くびれ部は、前記嵌合部を嵌合させた状態において、内壁同士が密着した状態となる様に形成されていること。
【請求項２】
（２−０）  ブロー成形によって形成された合成樹脂製の容器本体内に複数の区画室を備え、複数の区画室に収納された内容物同士を必要に応じて前記容器本体内で混合することのできる複室容器であって、以下の構成を有することを特徴とする複室容器。
（２−１）  前記容器本体は、少なくとも一端に口を有すると共に、途中にくびれ部を備え、該くびれ部で折り曲げることができること。
（２−２）  前記くびれ部で折り曲げた状態を維持するための嵌合部を容器本体の外面に備えていること。
（２−３）  前記くびれ部は、前記嵌合部を嵌合させた状態において、内壁同士が密着した状態となる様に形成されていること。
（２−４）  前記容器本体は、前記くびれ部の片側において、該くびれ部から前記口まで伸びる区画壁によって長さ方向に分割されていること。
【請求項３】
（３−０）  ブロー成形によって形成された合成樹脂製の容器本体内に複数の区画室を備える複室容器であって、以下の構成を有することを特徴とする複室容器。
（３−１）  前記容器本体は、両端に口を有すると共に、途中にくびれ部を備え、該くびれ部で折り曲げることができること。
（３−２）  前記くびれ部で折り曲げた状態を維持するための嵌合部を容器本体の外面に備えていること。
（３−３）  前記くびれ部は、前記嵌合部を嵌合させた状態において、内壁同士が密着した状態となる様に形成されていること。
【請求項４】
（４−０）  ブロー成形によって形成された合成樹脂製の容器本体内に複数の区画室を備える複室容器であって、以下の構成を有することを特徴とする複室容器。
（４−１）  前記容器本体は、少なくとも一端に口を有すると共に、途中にくびれ部を備え、該くびれ部で折り曲げることができること。
（４−２）  前記くびれ部で折り曲げた状態を維持するための嵌合部を容器本体の外面に備えていること。
（４−３）  前記くびれ部は、前記嵌合部を嵌合させた状態において、内壁同士が密着した状態となる様に形成されていること。
（４−４）  前記容器本体は、前記くびれ部の片側において、該くびれ部から前記口まで伸びる区画壁によって長さ方向に分割されていること。
【請求項５】
請求項１〜４のいずれか記載の複室容器において、さらに以下の構成をも有すること。
（５）  前記嵌合部は、前記容器本体の外壁の一部を突出させた凸部と、前記容器本体の外壁の一部を陥没させた凹部とから構成されること。
【発明の詳細な説明】
【技術分野】
【０００１】
本発明は、複数の収納室を有し、必要に応じて各収納室の内容物同士を混合することのできる複室容器に関する。
【背景技術】
【０００２】
従来、使用時に混合して使用する製剤等を収納するために、複数の収納室を有する容器が知られている（特許文献１〜４）。
【０００３】
特許文献１，２に記載された容器は、折り曲げ可能な基体に、折り目を挟んで二つの収納室を形成したもので、使用時に、基体の一部を引き裂いて２室の内容物を取り出し、容器外で混合する様に構成されている。
【０００４】
特許文献３，４に記載された容器は、二つの部材を貼り合わせて複数の収納室を形成すると共に、２室の間を剥離可能な弱シール部とし、使用時に弱シール部を剥がして容器内で内容物を混合できる様にしたものである。
【特許文献１】実開平６−４９３８１（図１〜図３）
【特許文献２】特開２００２−１２８０４０（図１〜図５）
【特許文献３】特開平１１−２２７８４３（図１〜図５）
【特許文献４】特開２００２−１６０７７１（図１〜図４）
【発明の開示】
【発明が解決しようとする課題】
【０００５】
特許文献１，２に記載された容器が内容物の混合を容器外で行わなければならないという問題は、特許文献３，４に記載された容器によって解消できるものの、特許文献３，４に記載された容器は、その容器製造及び内容物注入等の製品製造工程が複雑になり、コスト高になるという問題がある。また、内容物の混合のために一方の収納室を押し潰す等の操作が必要で、扱い難いという問題もある。
【０００６】
そこで、本発明は、容器の内部で内容物同士の混合が可能な複室容器において、混合のための取扱いが容易で、かつ、製品製造工程も簡単にすることを第１の目的とする。
【０００７】
さらに、本発明は、上記第１の目的を達成する上で同時に完成する製造容易な複室容器の提供をも第２の目的とする。
【課題を解決するための手段】
【０００８】
上記第１の目的を達成するためになされた第１の発明は、
（１−０）  ブロー成形によって形成された合成樹脂製の容器本体内に複数の区画室を備え、複数の区画室に収納された内容物同士を必要に応じて前記容器本体内で混合することのできる複室容器であって、以下の構成を有することを特徴とする。
（１−１）  前記容器本体は、両端に口を有すると共に、途中にくびれ部を備え、該くびれ部で折り曲げることができること。
（１−２）  前記くびれ部で折り曲げた状態を維持するための嵌合部を容器本体の外面に備えていること。
（１−３）  前記くびれ部は、前記嵌合部を嵌合させた状態において、内壁同士が密着した状態となる様に形成されていること。
【０００９】
第１の発明の複室容器によれば、上記（１−０）〜（１−３）の構成を備えたことにより、容器をくびれ部で折り曲げて嵌合部を嵌合させた状態にすると、容器本体がくびれ部によって分割されて複数の区画室が形成される。容器本体が両端に口を備えていることから、くびれ部で分割されて形成された各区画室には口があることになる。よって、この口から各区画室に収容すべき液体や粉体等を注入する。内容物を収納したら、各区画室の口を閉じる。折り曲げた状態においては、くびれ部の内壁同士が密着するので、各区画室に異なる種類の内容物を収納してもこれらが混ざることがない。一方、嵌合部の嵌合を解いて容器本体をのばした状態にすると、くびれ部を介して各区画室が全体に連通した状態となる。この結果、容器本体内で内容物同士を混合することができる。この後、口を開いて内容物を取り出して使用する。なお、この取り出し用の口については、着脱可能なキャップを用いる様にするとよい。他方の口はヒートシールで閉じればよい。
【００１０】
また、同じく上記第１の目的を達成するためになされた第２の発明は、
（２−０）  ブロー成形によって形成された合成樹脂製の容器本体内に複数の区画室を備え、複数の区画室に収納された内容物同士を必要に応じて前記容器本体内で混合することのできる複室容器であって、以下の構成を有することを特徴とする。
（２−１）  前記容器本体は、少なくとも一端に口を有すると共に、途中にくびれ部を備え、該くびれ部で折り曲げることができること。
（２−２）  前記くびれ部で折り曲げた状態を維持するための嵌合部を容器本体の外面に備えていること。
（２−３）  前記くびれ部は、前記嵌合部を嵌合させた状態において、内壁同士が密着した状態となる様に形成されていること。
（２−４）  前記容器本体は、前記くびれ部の片側において、該くびれ部から前記口まで伸びる区画壁によって長さ方向に分割されていること。
【００１１】
この第２の発明の複室容器によれば、上記（２−０）〜（２−４）を備えたことにより、第１の発明と同様に、容器をくびれ部で折り曲げて嵌合部を嵌合させた状態にすると、容器本体がくびれ部によって分割されて複数の区画室が形成される。このとき、一方の区画室は、さらに、区画壁によって分割される。この区画壁が一つならば２室に、二つならば３室に分割することができる。この第２の発明は、（ａ）くびれ部で折り曲げることによって形成された各区画室に内容物を注入することによって３種以上の内容物を必要に応じて混合するという使用方法、（ｂ）区画壁を備えていない側の区画室には何も注入しないでおいて混合室として機能させる使用方法がある。（ｂ）の使用方法の場合、混合室として機能する区画室を備えることにより、くびれ部の内壁同士の密着によるシールが不十分であったとしても、内容物同士の混入が起こり難い。これは、混合用の区画室内の空気が、内容物の漏れを抑制すると共に、仮に漏れたとしても、混合用の区画室内への漏れにとどまるからである。なお、内容物を収納した後の口の閉じ方としてはヒートシールが簡単であり、かつ、区画壁による混合防止効果を発揮させる上でより適している。一方、混合用の区画室となる側には混合後の内容物の取り出し口を設ける。この場合、取り出し口は着脱式のキャップにしてもよいし、ねじ切り容易なつまみを備えることによって形成してもよい。ねじきり容易なつまみを備える構造とすることは、ブロー成形の１工程のみで複室容器を形成できる点でより望ましい。
【００１２】
また、第１の発明から福次的になされ、第２の目的を達成する第３発明は、
（３−０）  ブロー成形によって形成された合成樹脂製の容器本体内に複数の区画室を備える複室容器であって、以下の構成を有することを特徴とする。
（３−１）  前記容器本体は、両端に口を有すると共に、途中にくびれ部を備え、該くびれ部で折り曲げることができること。
（３−２）  前記くびれ部で折り曲げた状態を維持するための嵌合部を容器本体の外面に備えていること。
（３−３）  前記くびれ部は、前記嵌合部を嵌合させた状態において、内壁同士が密着した状態となる様に形成されていること。
【００１３】
この第３の発明の複室容器は、内部混合も行う目的で用いることにより第１の発明の複質容器と同様である。しかしながら、例えば、両端の口をネジキャップにしておいて、折り曲げた状態のままでネジキャップを外して容器外で内容物の混合をする様にしたり、片側のネジキャップだけを外して片方の内容物だけを取り出して使用するという用途にも用いることができる。もちろん、ネジキャップ式ではなく、両端ともにヒートシールで閉じておいて、ハサミで切って内容物を取り出すといった方法を採用してもよい。例えば、シュウマイに付属する醤油とからしを別々に収納しておき、好みに応じて醤油のみ、醤油とからしの両方を取り出すといった用い方にしてもよい。容器の製造が容易な点は、従来技術に対して十分な有効性を有するものである。
【００１４】
同じく第１の発明から福次的になされ、第２の目的を達成する第４の発明は、
（４−０）  ブロー成形によって形成された合成樹脂製の容器本体内に複数の区画室を備える複室容器であって、以下の構成を有することを特徴とする複室容器。
（４−１）  前記容器本体は、少なくとも一端に口を有すると共に、途中にくびれ部を備え、該くびれ部で折り曲げることができること。
（４−２）  前記くびれ部で折り曲げた状態を維持するための嵌合部を容器本体の外面に備えていること。
（４−３）  前記くびれ部は、前記嵌合部を嵌合させた状態において、内壁同士が密着した状態となる様に形成されていること。
（４−４）  前記容器本体は、前記くびれ部の片側において、該くびれ部から前記口まで伸びる区画壁によって長さ方向に分割されていること。
【００１５】
この第４の発明の複室容器も、用い方として、容器を開ける前に嵌合部の嵌合を解けば、第２の発明と同じになるが、嵌合部の嵌合を解かずに、各区画室の内容物を取り出して外部で混合することも、あるいは、内容物の一部だけを取り出して使用することもできる。
【００１６】
これら第１〜第４の発明においても、さらに以下の構成をも有するとよい。
（５）  前記嵌合部は、前記容器本体の外壁の一部を突出させた凸部と、前記容器本体の外壁の一部を陥没させた凹部とから構成されること。
【００１７】
外壁の凹凸を嵌合部とすることで、ブロー成形により適した形状となる。
【００１８】
くびれ部は、容器本体の表面又は裏面からの窪みと側面からの窪みとによって構成するとよい。側面からの窪みを設けることで、折り曲げたときに側方に膨らんでシール性能を損なうといった状態を防止することができる。
【発明の効果】
【００１９】
以上説明した様に、第１，第２の発明によれば、内容物混合の際の取扱いが容易で、かつ、ブロー成形によって少ない工程で製造することができ、しかも内容物の注入も容易である。第３，第４の発明は、上記効果に加えて、容器外混合や、一部の内容物のみの取り出しといった用途にも使用でき、製造工程の少なさや内容物注入作業の容易さにおいては、第１，第２の発明と同様の効果を発揮する。
【発明を実施するための最良の形態】
【００２０】
以下、本発明の実施の形態について、図面を参照しつつ説明する。まず、第１，第３の発明に対応する第１実施形態の複室容器１０を、図１に基づいて説明する。第１実施形態の複室容器１０においては、図１（Ａ）〜（Ｃ）に示す様に、容器本体１１として、一端にヒートシール用の口１２を、他端にネジキャップ用の口１３を有すると共に、途中にくびれ部１４を備えたものを採用している。この容器本体１１は、ブロー成形によって製造される。ここで、くびれ部１４は、容器本体１１の表面に設けた窪み１４ａと、容器本体１１の側面に設けた窪み１４ｂ，１４ｂとによって形成されている。また、容器本体１１の裏面はフラットな形状となっており、くびれ部１４を挟んで対称な位置に、外壁の一部を突出させた円柱状の凸部１５と、外壁の一部を陥没させた円筒状の凹部１６とを備えている。これら凸部１５と凹部１６は、互いに嵌合可能で、一旦嵌合させたら、意図的にある程度の力を加えないと嵌合が解けない様な寸法・形状の嵌合部として機能する。そして、窪み１４ａ，１４ｂは、凸部１５と凹部１６を嵌合させた状態において、くびれ部１４の内壁同士が密着した状態となる様な寸法・形状とされている。
【００２１】
この第１実施形態の複室容器１０によれば、図１（Ｄ）に示す様に、くびれ部１４で折り曲げて凸部１５と凹部１６を嵌合させた状態にすると、容器本体１１がくびれ部１４によって分割されてＡ室１７とＢ室１８の２つの区画室が形成される。容器本体１１は、その両端に口１２，１３を備えていることから、くびれ部１４で分割されて形成された各区画室１７，１８にはいずれも口がある。よって、この口１２，１３からＡ室１７及びＢ室１８に液体や粉体等の内容物を注入する。内容物を注入したら、ヒートシール用の口１２についてはヒートシールによってこれを閉じる。また、ネジキャップ用の口１３にはネジキャップをして口を閉じる。
【００２２】
図１（Ｄ）に示す様に、折り曲げた状態においては、くびれ部１４の内壁同士が密着するので、Ａ室１７とＢ室１８に異なる種類の内容物を収納してもこれらが混ざることがない。一方、嵌合を解いて容器本体１１をのばした状態にすると、くびれ部１４を介してＡ室１７とＢ室１８が連通した状態となる。この状態において、ヒートシールで口を閉じた側のＢ室１８の外壁を何回か押すことで、Ｂ室１８内の内容物をＡ室１７側に押し出して二液混合状態とすることができる。容器本体１１はブロー成形製なので、この様な手指による押圧での混合操作は容易である。こうして内容物同士を混合した後、ネジキャップを取り除いて口１３を開き、混合された内容物を取り出して使用する。なお、第３の発明との関係では、折り曲げた状態のままで、ネジキャップを外して内容物を取り出し、ヒートシールされた口は挟み等で切って内容物を取り出して使用する。
【００２３】
次に、第２，第４の発明に対応する第２実施形態の複室容器２０を、図２に基づいて説明する。第２実施形態の複室容器２０においては、図２（Ａ）〜（Ｃ）に示す様に、容器本体２１として、一端にヒートシール用の口２２を、他端にねじ切り式のつまみ２３を有すると共に、途中にくびれ部２４を備えたものを採用している。容器本体２１は、さらに、くびれ部２４からヒートシール用の口２２まで伸びる区画壁２５によって長さ方向に分割されている。この結果、容器本体２１の上端には、２つのヒートシール用の口２２ａ，２２ｂが形成される。なお、この容器本体２１は、ブロー成形によって製造される。くびれ部２４は、容器本体２１の裏面に設けた窪み２４ａと、容器本体２１の側面に設けた窪み２４ｂ，２４ｂとによって形成されている。また、容器本体２１は、くびれ部２４より上方の表面に、くびれ部２４より下方の部分を受け入れることのできる窪み２１ａを備えている。そして、容器本体２１の窪み２１ａには、区画壁２５を挟んで外壁の一部を突出させた円柱状の凸部２６が形成されている。また、容器本体２１のくびれ部２４よりも下方の部分の外壁には、その一部を陥没させた円筒状の凹部２７が形成されている。この凹部２７は、くびれ部２４を挟んで凸部２６と対称な位置に設けられている。これら凸部２６と凹部２７は、互いに嵌合可能で、一旦嵌合させたら、意図的にある程度の力を加えないと嵌合が解けない様な寸法・形状の嵌合部として機能する。そして、窪み２４ａ，２４ｂは、凸部２６と凹部２７を嵌合させた状態において、くびれ部２４の内壁同士が密着した状態となる様な寸法・形状とされている。
【００２４】
この第２実施形態の複室容器２０によれば、図２（Ｄ）に示す様に、くびれ部２４で折り曲げて凸部２６と凹部２７を嵌合させた状態にすると、容器本体２１がくびれ部２４及び区画壁２５によって分割され、Ａ室２８、Ｂ室２９、室３０の３つの区画室が形成される。Ａ室２８及びＢ室２９には、それぞれ口２２ａ，２２ｂが備わっている。よって、この口２２ａ，２２ｂからＡ室２８及びＢ室２９に液体や粉体等の内容物を注入する。内容物を注入したら、口２２ａ，２２ｂをヒートシールによって閉じる。
【００２５】
図２（Ｄ）に示す様に、折り曲げた状態においては、くびれ部２４の内壁同士が密着してシールされた状態となるので、Ａ室２８とＢ室２９に異なる種類の内容物を収納してもこれらが混ざることがない。一方、嵌合を解いて容器本体２１をのばした状態にすると、くびれ部２４を介してＡ室２８、Ｂ室２９及びＣ室３０が連通した状態となる。この状態において、Ａ室２８及びＢ室２９の外壁を押して、それぞれの内容物をＣ室３０に押し出す。これによって、Ｃ室３０内で二液混合状態とすることができる。容器本体２１はブロー成形製なので、この様な手指による押圧での混合操作は容易である。こうして内容物同士を混合した後、つまみ２３をねじ切ってＣ室３０の口を開き、混合された内容物を取り出して使用する。なお、第４の発明との関係では、折り曲げた状態のままで、ヒートシールした口を開いて内容物を個々に取り出して使用する。
【００２６】
以上説明した各実施形態によれば、くびれ部１４，２４は、側面からの窪み１４ｂ，２４ｂを備えていることから、折り曲げたときに側方に膨らんでシール性能を害するといったことがない。
【００２７】
また、第２実施形態によれば、混合用区画室として機能するＣ室３０を備えたことにより、Ｃ室３０内の空気が、Ａ室２８及びＢ室２９の内容物の漏れを抑制すると共に、仮に漏れたとしても、Ｃ室３０内への漏れにとどまる効果も発揮される。
【００２８】
以上、本発明の一実施の形態について説明したが、本発明は上述した実施の形態に限られることなく、その要旨を逸脱しない範囲内において、さらに種々の態様にて実施することができる。
【００２９】
例えば、第１実施形態においては片方の口のみをネジキャップ式としたが、両方ともネジキャップ式としてもよいし、逆に、両方の口をヒートシールで閉じる様にしてもよい。
【図面の簡単な説明】
【００３０】
【図１】第１実施形態の複室容器を示し、（Ａ）は平面図、（Ｂ）は正面図、（Ｃ）は右側面図、（Ｄ）は折り曲げた状態の右側面図である。
【図２】第２実施形態の複室容器を示し、（Ａ）は平面図、（Ｂ）は正面図、（Ｃ）は右側面図、（Ｄ）は折り曲げた状態の右側面図である。
【符号の説明】
【００３１】
１０・・・複室容器
１１・・・容器本体
１２・・・ヒートシール用の口
１３・・・ネジキャップ用の口
１４・・・くびれ部
１５・・・凸部
１６・・・凹部
１７・・・Ａ室
１８・・・Ｂ室
２０・・・複室容器
２１・・・容器本体
２２・・・ヒートシール用の口
２３・・・ねじ切り式のつまみ
２４・・・くびれ部
２５・・・区画壁
２６・・・凸部
２７・・・凹部
２８・・・Ａ室
２９・・・Ｂ室
３０・・・Ｃ室
【図１】
2006232294.tif 000003
【図２】
2006232294.tif 000004